(57)【要約】【課題】高い密閉性を確保しつつ薄型化が可能で且つ容易に雌雄の封止体を嵌合させることができる密封構造式チャックの提供。【解決手段】基台部２３ａの表面に一体に突設された断面鈎状の一対の雌鈎突条２８，２９からなる雌封止体２５を備えるとともに、基台部２３ｂの表面に一体に突設された断面鈎状の一対の雄鈎突条３１，３２からなる雄封止体２６とを備え、且つ基台部２３ａに一体に突設された密封用突条３３を備え、雄封止体２６と雌封止体２５とを嵌合することによって雌雄の両鈎爪部２７，３０が互いに係合されるとともに密封用突条３３が雄鈎突条３１，３２間に圧入されるようにし、密封用突条３３は、先端部分に外側に向けて膨出させた一対の密封圧接部３７，３７を有する形状の圧入頭部３６を備え、密封圧接部３７の頂部３７ｃが雄鈎突条３１，３２に圧接されるようにした密封構造式チャック。【選択図】図２
2014057702.tif 000002
【特許請求の範囲】
【請求項１】
互いに対向する一対のシート状体の各対向面に固着されるテープ状をした合成樹脂製の一対の基台部を備え、その一方の基台部の表面に一体に突設され、先端部に内側に向けた雌鈎爪部を有する断面鈎状の一対の雌鈎突条からなる雌封止体を備えるとともに、他方の基台部の表面に一体に突設され、先端部に外側に向けた雄鈎爪部を有し、前記両雌鈎突条間に挿入される断面鈎状の一対の雄鈎突条からなる雄封止体とを備え、且つ前記一方の基台部の前記両雌鈎突条の中間位置に一体に突設され、前記両雄鈎突条間に圧入される密封用突条を備え、前記雄封止体を雌封止体間に挿入することによって前記雌雄の両鈎爪部が互いに係合されるとともに前記密封用突条が前記雄鈎突条間に圧入されるようにしてなる密封構造式チャックであって、
前記密封用突条は、先端部分に外側に向けて膨出させた断面山型状の一対の密封圧接部を有する形状の圧入頭部を備え、該密封圧接部の頂部が前記雄鈎突条に圧接されるようにしたことを特徴としてなる密封構造式チャック。
【請求項２】
前記圧入頭部に、前記両密封圧接部の先端側面をもって先端側に膨出した断面山型状の先端山型部が形成され、前記密封圧接部の頂部角が該先端山型部の頂部角より小さくなるように形成されてなる請求項１に記載の密封構造式チャック。
【請求項３】
前記両雄鈎突条は、互いに対向する背面が平行配置となるように形成されてなる請求項１又は２に記載の密封構造式チャック。
【発明の詳細な説明】
【技術分野】
【０００１】
本発明は、主に合成樹脂フィルム製の包装袋の開口部に一体に備えられ、袋内部を密封可能に封鎖するための密封構造式チャックに関する。
【背景技術】
【０００２】
従来、合成樹脂フィルム製の袋体の開口部に密封構造式チャックを一体に備え、シーラーを用いずとも内部を密封することができ、且つ再使用が可能な包装袋が精密部品の輸送や生鮮食料品の包装等の多岐に渡って使用されている。
【０００３】
この密封構造式チャック１としては、例えば、図７、図８に示す如き構造のものが使用され、包装袋２の開口部を構成する互いに対向する一対のシート状体３ａ，３ｂの各対向面部にそれぞれ固着されるテープ状をした合成樹脂製の一対の基台部４ａ，４ｂを備え、一方の基台部４ａの表面に一体に突設された雌封止体５と他方の基台部４ｂに一体に突設された雄封止体６とを嵌合させることによって開口部の互いに対向するシート状体３ａ，３ｂ間が封鎖されるようになっている（特許文献１を参照）。
【０００４】
雌封止体５は、他方のシート状体３ａの対向面部に横切る配置に固着されたテープ状の基台部４ａの表面に一体に突設され、先端部に内側に向けた雌側鈎爪部７を有する断面鈎状の一対の雌鈎突条８ａ，８ｂを備え、雄封止体６は、一方のシート状体３ｂの対向面部に固着されたテープ状の基台部４ｂの表面に一体に突設され、先端部に外側に向けて突出した雄側鈎爪部９を有する断面鈎状の一対の雄鈎突条１０ａ，１０ｂを備えるとともに、一方の基台部４ａの両雌鈎突条８ａ，８ｂ間に突設された密封用突条１１とを備え、両雄鈎突条１０ａ，１０ｂを雌鈎突条８ａ，８ｂの内側に挿入することによって雌雄両者間の両鈎爪部７，９が互いに係合されるとともに密封用突条１１が両雄鈎突条１０ａ，１０ｂ間に圧入され、両対向面部間を密封するようになっている。
【０００５】
尚、この密封構造式チャック１では、高い密閉性を確保するために、雄封止体５を構成する両雄鈎突条１０ａ，１０ｂが互いに対向する背面部間の幅が圧入方向に進むにつれて狭まるようにテーパ状に形成され、このテーパ状に形成された両雄鈎突条１０ａ，１０ｂ間に密封用突条１１が楔状に圧入されるようになっている。
【０００６】
また、この密封構造式チャック１は、両シート状体３ａ，３ｂの外側より雌雄の封止体５，６の一端を指先で挟持し、その指先を密封構造式チャック１に沿って他端まで摺動させることにより、指先に押圧された雌雄の封止体５，６を順次嵌合させ、それにより両対向面部間を封鎖するようになっている。
【先行技術文献】
【特許文献】
【０００７】
【特許文献１】特開２０００−１４２７３１号公報
【発明の概要】
【発明が解決しようとする課題】
【０００８】
しかしながら、上述の如き従来の技術では、密封用突条が両雄鈎突条間に圧入される構造のため、当該密封用突条の基台部からの突出高さ及びその雄封止体に対する圧入深さが封鎖時の開口部の厚みに大きく影響するところであり、包装袋全体の薄型化のためには、密封用突条の基台部からの突出高さ及びその雄封止体に対する圧入深さを低くし、チャック全体の薄型化を図ることが望ましい。
【０００９】
また、上述の如き従来の技術では、密封用突条が両雄鈎突条間に楔状に圧入される構造であるため、密閉性を高めるほど雌雄の封止体が嵌合し難くなり、人の指による押圧では完全に嵌合し得ない虞があった。
【００１０】
そこで本発明は、このような従来の問題に鑑み、高い密閉性を確保しつつ薄型化が可能で且つ容易に雌雄の封止体を嵌合させることができる密封構造式チャックの提供を目的としてなされたものである。
【課題を解決するための手段】
【００１１】
上述の如き従来の問題を解決し、所期の目的を達成するための請求項1に記載の発明の特徴は、互いに対向する一対のシート状体の各対向面に固着されるテープ状をした合成樹脂製の一対の基台部を備え、その一方の基台部の表面に一体に突設され、先端部に内側に向けた雌鈎爪部を有する断面鈎状の一対の雌鈎突条からなる雌封止体を備えるとともに、他方の基台部の表面に一体に突設され、先端部に外側に向けた雄鈎爪部を有し、前記両雌鈎突条間に挿入される断面鈎状の一対の雄鈎突条からなる雄封止体とを備え、且つ前記一方の基台部の前記両雌鈎突条の中間位置に一体に突設され、前記両雄鈎突条間に圧入される密封用突条を備え、前記雄封止体を雌封止体間に挿入することによって前記雌雄の両鈎爪部が互いに係合されるとともに前記密封用突条が前記雄鈎突条間に圧入されるようにしてなる密封構造式チャックであって、前記密封用突条は、先端部分に外側に向けて膨出させた断面山型状の一対の密封圧接部を有する形状の圧入頭部を備え、該密封圧接部の頂部が前記雄鈎突条に圧接されるようにしたことにある。
【００１２】
請求項２に記載の発明の特徴は、請求項１の構成に加え、前記圧入頭部に、前記両密封圧接部の先端側面をもって先端側に膨出した断面山型状の先端山型部が形成され、前記密封圧接部の頂部角が該先端山型部の頂部角より小さくなるように形成されてなることにある。
【００１３】
請求項３に記載の発明の特徴は、請求項１又は２の構成に加え、前記両雄鈎突条は、互いに対向する背面が平行配置となるように形成されてなることにある。
【発明の効果】
【００１４】
本発明に係る密封構造式チャックは、上述したように、互いに対向する一対のシート状体の各対向面に固着されるテープ状をした合成樹脂製の一対の基台部を備え、その一方の基台部の表面に一体に突設され、先端部に内側に向けた雌鈎爪部を有する断面鈎状の一対の雌鈎突条からなる雌封止体を備えるとともに、他方の基台部の表面に一体に突設され、先端部に外側に向けた雄鈎爪部を有し、前記両雌鈎突条間に挿入される断面鈎状の一対の雄鈎突条からなる雄封止体とを備え、且つ前記一方の基台部の前記両雌鈎突条の中間位置に一体に突設され、前記両雄鈎突条間に圧入される密封用突条を備え、前記雄封止体を雌封止体間に挿入することによって前記雌雄の両鈎爪部が互いに係合されるとともに前記密封用突条が前記雄鈎突条間に圧入されるようにしてなる密封構造式チャックであって、前記密封用突条は、先端部分に外側に向けて膨出させた断面山型状の一対の密封圧接部を有する形状の圧入頭部を備え、該密封圧接部の頂部が前記雄鈎突条に圧接されるようにしたことにより、密封用突条が雄鈎突条に対し直線状に接するので密閉性が高く、また圧入頭部の圧入方向厚さを薄くすることができ、それに伴いチャック全体の薄型化を図ることができる。
【００１５】
また、本発明において、前記圧入頭部に、前記両密封圧接部の先端側面をもって先端側に膨出した断面山型状の先端山型部が形成され、前記密封圧接部の頂部角が該先端山型部の頂部角より小さくなるように形成されてなることにより、圧入頭部が雄鈎突条より受ける押圧力が圧入方向に分散するのを抑制でき、圧入頭部を薄肉化しても高い密閉性を確保できる。
【００１６】
更にまた、本発明において、前記両雄鈎突条は、互いに対向する背面が平行配置となるように形成されてなることにより、雌雄封止体の嵌合作業を容易且つ確実に行うことができる。
【図面の簡単な説明】
【００１７】
【図１】本発明に係る密封構造式チャックの使用状態の一例を示す部分破断斜視図である。
【図２】図１中の密封構造式チャックの嵌合状態を示す拡大断面図である。
【図３】同上の雌雄封止体を離脱させた状態を示す拡大断面図である。
【図４】図４中の圧入頭部部分の形状を説明するための拡大図である。
【図５】密封構造式チャックの易開放側の開き状態を示す拡大断面図である。
【図６】密封構造式チャックの難開放側の開き状態を示す拡大断面図である。
【図７】従来の密封構造式チャックの一例を示す断面図である。
【図８】同上の雌雄両封止体を離脱させた状態を示す断面図である。
【発明を実施するための形態】
【００１８】
次に、本発明に係る密封構造式チャックの実施の態様を図１〜図６に示した実施例に基づいて説明する。
【００１９】
図１は本発明に係る密封構造式チャック２０を包装袋２１の開口部に適用した実施例を示しており、この密封構造式チャック２０により、包装袋２１開口部の互いに対向する一対のシート状体２２ａ，２２ｂ間を気液密性が維持された状態に封鎖するようになっている。
【００２０】
密封構造式チャック２０は、弾性を有する合成樹脂材をもって形成され、互いに対向する一対のシート状体２２ａ，２２ｂの各対向面部に固着されたテープ状をした基台部２３ａ，２３ｂ間に跨って一対の合成樹脂製のチャック部２４ａ，２４ｂが互いに平行な多列配置に備えられている。
【００２１】
この両チャック部２４ａ，２４ｂは、同一構造のものであって、図２〜図４に示すように一方の基台部２３ａの表面に一体に突設された雌封止体２５と、他方の基台部２３ａ，２３ｂに一体に突設された雄封止体２６とを互いに嵌合させることにより両シート状体２２ａ，２２ｂの対向面部間を封鎖するようになっている。
【００２２】
雌封止体２５は、基台部２３ａに突設され、先端部に内側に向けて突出した雌鈎爪部２７を有する断面鈎状の一対の雌鈎突条２８，２９を備え、雄封止体２６は、他方の基台部２３ｂの表面に一体に突設され、先端部に外側に向けて突出した雄鈎爪部３０を有する断面鈎状の一対の雄鈎突条３１，３２を備え、両雄鈎突条３１，３２が各雌鈎突条２８，２９の内側に挿入されるようになっている。
【００２３】
また、一方の基台部２３ａの両雌鈎突条２８，２９の中間位置に、他方の基台部２３ｂの両雄鈎突条３１，３２間に圧入される密封用突条３３が一体に突設され、両雄鈎突条３１，３２を雌鈎突条２８，２９の内側に挿入することによって対応する雄鈎爪部３０と雌鈎爪部２７とが互いに係合されるとともに密封用突条３３が両雄鈎突条３１，３２の背面間に圧入されるようになっている。
【００２４】
雄封止体２６を構成する両雄鈎突条３１，３２は、図３に示すように、互いに対向する背面３１ａ，３２ａが平行配置となるように形成され、両背面３１ａ，３２ａ間の隙間部３４の内縁部がＵ字状を成し、この隙間部３４内に密封用突条３３が圧入される。
【００２５】
密封用突条３３は、一方の基台部２３ａより突出した支持部３５と、支持部３５の先端部分、即ち圧入方向側端に一体に支持された圧入頭部３６とを備えている。
【００２６】
圧入頭部３６は、図４に示すように、それぞれ外側、即ち雄鈎突条３１，３２側に向けて膨出した断面山型状の一対の密封圧接部３７，３７を有する形状に形成され、密封圧接部３７の頂部３７ｃが雄鈎突条３１，３２の背面に圧接されるようなっている。
【００２７】
密封圧接部３７は、頂部を外側、即ち雄鈎突条３１，３２側に向けて膨出した断面三角山型状であって、先端側面３７ａと基台部側面３７ｂとが外側、即ち雄鈎突条３１，３２側に進むにつれて互いに近接するように傾斜した形状に形成され、先端側面３７ａと基台部側面３７ｂとが交わる部分に頂部３７ｃが形成されている。
【００２８】
また、圧入頭部３６には、両密封圧接部３７を構成する各先端側面３７ａ，３７ａによって先端側に膨出した断面山型状の先端山型部３８が形成され、両先端側面３７ａ，３７ａが交わる部分に頂部３８ａが形成されている。
【００２９】
密封圧接部３７の頂部３７ｃの角度、即ち先端側面３７ａと基台部側面３７ｂとが成す角度αは、先端山型部３８の頂部３８ａの角度、即ち両密封圧接部の先端側面３７ａ，３７ａが成す角度βより小さく設定されることが好ましく、それにより圧入頭部３６は、雄鈎突条３１，３２間方向厚さに比して圧入方向厚さが狭い扁平断面形状、即ち頂部３７ｃ，３７ｃ間方向の対角線の長い断面菱形状に形成される。
【００３０】
尚、密封圧接部３７の頂部角αは、特に限定されないが頂部角α＝６０〜１２０度であることが好ましく、特には、頂部角α＝６０〜９０度であることが望ましい。
【００３１】
このように圧入頭部３６を形成したことにより、密封用突条３３が両雄鈎突条３１，３２間に圧入された際には、密封圧接部３７の頂部３７ｃが雄鈎突条３１，３２背面３１ａ，３２ａに対し直線状に圧接されて気液密性が維持されるようになっている。
【００３２】
その際、密封圧接部３７が断面三角山型状であって、その頂部角αが先端山型部３８の頂部角βより小さい場合、圧入頭部３６が雄鈎突条３１，３２背面より受ける圧縮力が圧入方向に分散し難く、その為、圧入頭部３６、即ち密封圧接部３７が雄鈎突条３１，３２の背面を押圧する力（反力の水平方向成分）を高い状態で確保でき且つ密封圧接部３７の頂部に集中するので、圧入頭部３６を薄肉化しても高い気液密性を確保できるようになっている。
【００３３】
また、両雄鈎突条３１，３２の背面が互いに平行配置に形成されたことによって、密封用突条３３の圧入に際し、従来のテーパ状に形成されたものに比べて圧入方向の抵抗が少なく、円滑に圧入することができるようになっている。
【００３４】
更に、密封用突条３３を各雄鈎突条３１，３２側に向けて膨出した断面山型状の一対の密封圧接部３７，３７を有する圧入頭部３６を備え、密封圧接部３７の頂部３７ｃが雄鈎突条３１，３２の背面に圧接されるようにしたため、隙間部３４の深さは圧入頭部３６の変形代があればよく、従来のテーパ状に形成した場合に比べて浅くすることができる。
【００３５】
また、雌封止体２５の一方の雌鈎突条２８の根元部の断面形状は、基台部２３ａ側に進むにつれて厚くしたテーパ状に成型されており、これによって雌鈎突条２８が突設されている基台部２３ａに対する曲げ力がこの雌鈎突条２８に伝わり易く、従って図５に示すように、基台部２３ａを外側に曲げることによって、雌鈎突条２８が容易に雄鈎突条３１から離れる方向に曲げられて、互いに係合状態にある鈎爪部２７，３０を容易に外すことが可能な易開放側係合部を構成している。
【００３６】
これに対し、他方の雌鈎突条２９の根元部は、その外側面が基台部２３ａ側に進むにつれて内側面と同様に一方の雌鈎突条２８側に湾曲させた形状となっており、根元部は、その厚さａ（図２に示す）が基台部２３ａの厚さｂより厚く成型され、断面形状が円弧状に成型された円弧状部３９を有している。このため、基台部２３ａに開き方向の曲げ力が作用した場合、図６に示すように、基台部２３ａが雌鈎突条２９の根元部外側位置で曲がり、曲げ力が雌鈎突条２９に容易には伝わらず、互いに係合状態にある鈎爪部２７，３０の係合が容易には外れない難開放側係合部を構成している。
【００３７】
上記構造の各チャック部２４ａ，２４ｂは、前記難開放側係合部を構成している雌鈎突条２９側を同じ袋内部側に向けた状態でそれぞれ基台部２３ａ，２３ｂに対して一体に突設されている。
【００３８】
尚、上述の実施例では、密封用突条３３の圧入頭部３６が先端側に膨出した断面山型状の先端山型部３８を備えた例について説明したが、圧入頭部３６は、先端側の断面形状が円弧状又は平坦状に形成されたものであってもよい。
【００３９】
また、上述の実施例では、一対のチャック部２４ａ，２４ｂを基台部２３ａ，２３ｂに対し互いに平行な多列配置に備えた例について説明したが、一の基台部２３ａ，２３ｂに対し一のチャック部を備えたものでもよく、また、チャック部２４ａ，２４ｂを３列以上の多列配置に備えたものであってもよい。
【００４０】
更に、上述の実施例では、密封構造式チャック２０を合成樹脂シートからなる包装袋２１の開口部に適用した例について説明したが、用途は包装袋２１に限定されず、例えば、建築資材や大型の搬送物の包装等に使用するための複数のシート間の縁部を連結させて構成させる際にも使用することができる。
【符号の説明】
【００４１】
２０  密封構造式チャック
２１  包装袋
２２  シート状体
２３  基台部
２４  チャック部
２５  雌封止体
２６  雄封止体
２７  雌鈎爪部
２８，２９  雌鈎突条
３０  雄鈎爪部
３１，３２  雄鈎突条
３３  密封用突条
３４  隙間部
３５  支持部
３６  圧入頭部
３７  密封圧接部
３８  先端山型部
３９  円弧状部
【図１】
2014057702.tif 000003
【図２】
2014057702.tif 000004
【図３】
2014057702.tif 000005
【図４】
2014057702.tif 000006
【図５】
2014057702.tif 000007
【図６】
2014057702.tif 000008
【図７】
2014057702.tif 000009
【図８】
2014057702.tif 000010